(57)【要約】【課題】  不正容疑者の監視を効率よく行えるようにした不正容疑者絞込みシステムおよび不正容疑者情報処理装置および不正容疑者情報処理プログラムを提供する。【解決手段】  動体認識装置２０は、監視カメラ１０からの撮影映像を解析し、不正容疑者の判別を行なう。ここで、動体認識装置２０において、不正容疑者が判別されると、その旨の情報がシステムサーバ４０へと送信される。これを受けたシステムサーバ４０では、受信した情報を通報データ用データベース５２に登録するとともに、当該不正容疑者を撮影した監視カメラ１０からの映像を含む画面を表示する等してアラート処理を行う。また、システムサーバ４０は、ホールコンピュータ７１に向けて不正容疑者に係わる情報（例えば、不正容疑者の顔情報（顔映像、顔画像等）が含まれる）の送信を行い、遊技システムと不正容疑者に係わる情報の連携を行なう。【選択図】  図２
2008253553.tif 000002
【特許請求の範囲】
【請求項１】
遊技場敷地内の所定領域の映像を撮影する撮影手段と、
前記撮影手段により撮影された映像を解析し移動体を検知する検知手段と、
前記検知手段により検知された移動体の動作に基づき不正容疑者を判別する判別手段と、
前記判別手段により判別された不正容疑者に係わる情報を出力する出力手段と
を具備する不正容疑者絞込みシステム。
【請求項２】
前記撮影手段は、
遊技場敷地内に来場する移動体を撮影し、
前記判別手段は、
前記検知手段により検知された移動体が人であるかを判別する第１の判別手段と、
前記第１の判別手段により人であると判別された移動体が前記撮影手段の撮影映像内に設定された所定のラインを所定方向に通過した場合に、当該移動体を前記不正容疑者であると判別する第２の判別手段と
を具備する請求項１記載の不正容疑者絞込みシステム。
【請求項３】
前記第１の判別手段は、
前記移動体の大きさ若しくは該移動体の移動速度の少なくとも１つに基づき人であるかの判別を行う
請求項２記載の不正容疑者絞込みシステム。
【請求項４】
前記撮影手段は、
遊技場敷地内の駐車場の出入り口を入出庫する移動体を撮影し、
前記判別手段は、
前記検知手段により検知された移動体が車両であるかを判別する第１の判別手段と、
前記第１の判別手段により車両と判別された移動体が前記駐車場に入庫してから所定の時間以内に出庫した場合に、該車両に搭乗していた人を前記不正容疑者であると判別する第２の判別手段と
を具備する請求項１記載の不正容疑者絞込みシステム。
【請求項５】
前記撮影手段は、
前記車両の少なくとも車番を撮影する
請求項４記載の不正容疑者絞込みシステム。
【請求項６】
前記第２の判別手段は、
前記撮影手段により撮影された車両の入庫時刻と出庫時刻との差が所定の時間以内の車両に搭乗していた人を前記不正容疑者であると判別する
請求項４記載の不正容疑者絞込みシステム。
【請求項７】
前記撮影手段により撮影された前記駐車場の出入り口を入出庫する車両の入出庫時刻に基づき時間帯別の来場者の推移を示す情報を出力する来場者推移情報出力手段
を更に具備する請求項４記載の不正容疑者絞込みシステム。
【請求項８】
前記出力手段は、
前記不正容疑者に係わる情報を外部記録媒体若しくは紙媒体に出力する
請求項１記載の不正容疑者絞込みシステム。
【請求項９】
前記不正容疑者に係わる情報を記憶する記憶手段
を更に具備し、
前記記憶手段は、
遊技場における遊技客による遊技を統括制御する遊技システムから前記不正容疑者の遊技情報の連携を受けて、該遊技情報と前記不正容疑者に係わる情報とを対応付けて記憶する
請求項１記載の不正容疑者絞込みシステム。
【請求項１０】
前記撮影手段により撮影された映像を録画する録画手段
を更に具備し、
前記出力手段は、
前記録画手段により録画された不正容疑者の顔情報を含む情報を出力する
請求項１記載の不正容疑者絞込みシステム。
【請求項１１】
前記出力手段は、
遊技場における遊技客による遊技を統括制御する遊技システムに対して当該不正容疑者に係わる情報を出力し、
前記遊技システムは、
前記不正容疑者に係わる情報に基づき不正容疑者の監視を従業員へ指示若しくは場内撮影手段による前記不正容疑者に係わる情報に基づく不正容疑者の撮影を指示の内の少なくとも１つを実施する
請求項１記載の不正容疑者絞込みシステム。
【請求項１２】
前記不正容疑者に係わる情報は、
当該不正容疑者が判別された年月日、時刻、判別された要因、当該不正容疑者の顔情報の少なくとも１つを含む
請求項１から１１のいずれかに記載の不正容疑者絞込みシステム。
【請求項１３】
前記撮影手段により撮影された移動体が人であると判別された場合に、当該人であると判別された移動体が所定区域内に所定時間存在する場合に、当該移動体を不審者であると判別する不審者判別手段
を更に具備する請求項１記載の不正容疑者絞込みシステム。
【請求項１４】
遊技場敷地内の所定領域の撮影映像内における移動体の動作に基づき判別された不正容疑者に係わる情報を記憶する記憶手段と、
前記記憶手段に記憶された不正容疑者に係わる情報に基づき前記不正容疑者の撮影映像を取得する取得手段と、
前記記憶手段に記憶された不正容疑者に係わる情報及び前記取得手段により取得された不正容疑者の撮影映像に基づく情報の内の少なくとも一部を出力する出力手段と
を具備する不正容疑者情報処理装置。
【請求項１５】
遊技場敷地内の所定領域の撮影映像内における移動体の動作に基づき不正容疑者を判別する判別手段と、
前記判別手段により判別された不正容疑者に係わる情報を記憶する記憶手段と、
前記記憶手段に記憶された不正容疑者に係わる情報に基づき前記不正容疑者の撮影映像を取得する取得手段と、
前記記憶手段に記憶された不正容疑者に係わる情報及び前記取得手段により取得された不正容疑者の撮影映像に基づく情報の内の少なくとも一部を出力する出力手段と
を具備する不正容疑者情報処理装置。
【請求項１６】
コンピュータを、
遊技場敷地内の所定領域の撮影映像内における移動体の動作に基づき判別された不正容疑者に係わる情報を記憶する記憶手段、
前記記憶手段に記憶された不正容疑者に係わる情報に基づき前記不正容疑者の撮影映像を取得する取得手段、
前記記憶手段に記憶された不正容疑者に係わる情報及び前記取得手段により取得された不正容疑者の撮影映像に基づく情報の内の少なくとも一部を出力する出力手段
として機能させるための不正容疑者情報処理プログラム。
【請求項１７】
コンピュータを、
遊技場敷地内の所定領域の撮影映像内における移動体の動作に基づき不正容疑者を判別する判別手段、
前記判別手段により判別された不正容疑者に係わる情報を記憶する記憶手段、
前記記憶手段に記憶された不正容疑者に係わる情報に基づき前記不正容疑者の撮影映像を取得する取得手段、
前記記憶手段に記憶された不正容疑者に係わる情報及び前記取得手段により取得された不正容疑者の撮影映像に基づく情報の内の少なくとも一部を出力する出力手段
として機能させるための不正容疑者情報処理プログラム。
【発明の詳細な説明】
【技術分野】
【０００１】
本発明は、遊技客に遊技サービスを提供する遊技場において、不正行為を働く蓋然性の高い者を絞り込むようにした不正容疑者絞込みシステムおよび不正容疑者情報処理装置および不正容疑者情報処理プログラムに関する。
【背景技術】
【０００２】
遊技場においては、不正な方法で出玉等を獲得するゴト行為などと称される不正行為を働く者（以下、不正行為者と言う）に対して様々な策を講じている。不正行為者は、例えば、駐車場が設けられた遊技場において不正行為を働く場合、駐車場を利用せずに徒歩で来場したり、他の人の運転により来場したりすることが多い。これは、自動車で来場した場合、ナンバープレート等から足が付いたり、逃亡が困難になったりするためである。
【０００３】
このような遊技場における対応策としては、
１）遊技場に設けられた監視カメラをモニタリングする
２）遊技場の入口にガードマンを立たせて来場者を監視する
３）駐車場内に入庫する車両の車番（ナンバープレート）と、予め不審者と判定された人物（運転者）が所有する車両の車番が格納されたデータベースとを比較することで、不審者を監視する（例えば、特許文献１参照）
等が挙げられる。
【特許文献１】特開２００５−２２２１５９号
【発明の開示】
【発明が解決しようとする課題】
【０００４】
しかし、１）の場合、遊技客全員を監視する必要があり、また常時、監視映像を見ておかないといけないため、労力面や効率面から考えてみて現実的な対応策であるとは言えない。
【０００５】
また、２）の場合、ガードマンを雇う必要があるため、人件費（例えば、５００万円／人年）がかさむ。例えば、入口が複数あればその分ガードマンを多く雇わなければならない。
【０００６】
また、３）の場合、監視対象車両の車番を予め把握していなければ不正行為を働く者の特定には至らないため、レンタカー等で来場された場合には対応できず、十分な対応策であるとは言い難い。
【０００７】
そこで、本発明は、不正容疑者の監視を効率よく行えるようにした不正容疑者絞込みシステムおよび不正容疑者情報処理装置および不正容疑者情報処理プログラムを提供することを目的とする。
【課題を解決するための手段】
【０００８】
上記目的を達成するため、請求項１の不正容疑者絞込みシステムの発明は、遊技場敷地内の所定領域の映像を撮影する撮影手段と、前記撮影手段により撮影された映像を解析し移動体を検知する検知手段と、前記検知手段により検知された移動体の動作に基づき不正容疑者を判別する判別手段と、前記判別手段により判別された不正容疑者に係わる情報を出力する出力手段とを具備する。
【０００９】
また、請求項２の発明は、請求項１の発明において、前記撮影手段は、遊技場敷地内に来場する移動体を撮影し、前記判別手段は、前記検知手段により検知された移動体が人であるかを判別する第１の判別手段と、前記第１の判別手段により人であると判別された移動体が前記撮影手段の撮影映像内に設定された所定のラインを所定方向に通過した場合に、当該移動体を前記不正容疑者であると判別する第２の判別手段とを具備する。
【００１０】
また、請求項３の発明は、請求項２の発明において、前記第１の判別手段は、前記移動体の大きさ若しくは該移動体の移動速度の少なくとも１つに基づき人であるかの判別を行う。
【００１１】
また、請求項４の発明は、請求項１の発明において、前記撮影手段は、遊技場敷地内の駐車場の出入り口を入出庫する移動体を撮影し、前記判別手段は、前記検知手段により検知された移動体が車両であるかを判別する第１の判別手段と、前記第１の判別手段により車両と判別された移動体が前記駐車場に入庫してから所定の時間以内に出庫した場合に、該車両に搭乗していた人を前記不正容疑者であると判別する第２の判別手段とを具備する。
【００１２】
また、請求項５の発明は、請求項４の発明において、前記撮影手段は、前記車両の少なくとも車番を撮影する。
【００１３】
また、請求項６の発明は、請求項４の発明において、前記第２の判別手段は、前記撮影手段により撮影された車両の入庫時刻と出庫時刻との差が所定の時間以内の車両に搭乗していた人を前記不正容疑者であると判別する。
【００１４】
また、請求項７の発明は、請求項４の発明において、前記撮影手段により撮影された前記駐車場の出入り口を入出庫する車両の入出庫時刻に基づき時間帯別の来場者の推移を示す情報を出力する来場者推移情報出力手段を更に具備する。
【００１５】
また、請求項８の発明は、請求項１の発明において、前記出力手段は、前記不正容疑者に係わる情報を外部記録媒体若しくは紙媒体に出力する。
【００１６】
また、請求項９の発明は、請求項１の発明において、前記不正容疑者に係わる情報を記憶する記憶手段を更に具備し、前記記憶手段は、遊技場における遊技客による遊技を統括制御する遊技システムから前記不正容疑者の遊技情報の連携を受けて、該遊技情報と前記不正容疑者に係わる情報とを対応付けて記憶する。
【００１７】
また、請求項１０の発明は、請求項１の発明において、前記撮影手段により撮影された映像を録画する録画手段を更に具備し、前記出力手段は、前記録画手段により録画された不正容疑者の顔情報を含む情報を出力する。
【００１８】
また、請求項１１の発明は、請求項１の発明において、前記出力手段は、遊技場における遊技客による遊技を統括制御する遊技システムに対して当該不正容疑者に係わる情報を出力し、前記遊技システムは、前記不正容疑者に係わる情報に基づき不正容疑者の監視を従業員へ指示若しくは場内撮影手段による前記不正容疑者に係わる情報に基づく不正容疑者の撮影を指示の内の少なくとも１つを実施する。
【００１９】
また、請求項１２の発明は、請求項１から１１のいずれかの発明において、前記不正容疑者に係わる情報は、当該不正容疑者が判別された年月日、時刻、判別された要因、当該不正容疑者の顔情報の少なくとも１つを含む。
【００２０】
また、請求項１３の発明は、請求項１の発明において、前記撮影手段により撮影された移動体が人であると判別された場合に、当該人であると判別された移動体が所定区域内に所定時間存在する場合に、当該移動体を不審者であると判別する不審者判別手段を更に具備する。
【００２１】
また、請求項１４の不正容疑者情報処理装置の発明は、遊技場敷地内の所定領域の撮影映像内における移動体の動作に基づき判別された不正容疑者に係わる情報を記憶する記憶手段と、前記記憶手段に記憶された不正容疑者に係わる情報に基づき前記不正容疑者の撮影映像を取得する取得手段と、前記記憶手段に記憶された不正容疑者に係わる情報及び前記取得手段により取得された不正容疑者の撮影映像に基づく情報の内の少なくとも一部を出力する出力手段とを具備する。
【００２２】
また、請求項１５の不正容疑者情報処理装置の発明は、遊技場敷地内の所定領域の撮影映像内における移動体の動作に基づき不正容疑者を判別する判別手段と、前記判別手段により判別された不正容疑者に係わる情報を記憶する記憶手段と、前記記憶手段に記憶された不正容疑者に係わる情報に基づき前記不正容疑者の撮影映像を取得する取得手段と、前記記憶手段に記憶された不正容疑者に係わる情報及び前記取得手段により取得された不正容疑者の撮影映像に基づく情報の内の少なくとも一部を出力する出力手段とを具備する。
【００２３】
また、請求項１６の不正容疑者情報処理プログラムの発明は、コンピュータを、遊技場敷地内の所定領域の撮影映像内における移動体の動作に基づき判別された不正容疑者に係わる情報を記憶する記憶手段、前記記憶手段に記憶された不正容疑者に係わる情報に基づき前記不正容疑者の撮影映像を取得する取得手段、前記記憶手段に記憶された不正容疑者に係わる情報及び前記取得手段により取得された不正容疑者の撮影映像に基づく情報の内の少なくとも一部を出力する出力手段として機能させる。
【００２４】
また、請求項１７の不正容疑者情報処理プログラムの発明は、コンピュータを、遊技場敷地内の所定領域の撮影映像内における移動体の動作に基づき不正容疑者を判別する判別手段、前記判別手段により判別された不正容疑者に係わる情報を記憶する記憶手段、前記記憶手段に記憶された不正容疑者に係わる情報に基づき前記不正容疑者の撮影映像を取得する取得手段、前記記憶手段に記憶された不正容疑者に係わる情報及び前記取得手段により取得された不正容疑者の撮影映像に基づく情報の内の少なくとも一部を出力する出力手段として機能させる。
【発明の効果】
【００２５】
請求項１〜６、１０、１２の不正容疑者絞込みシステムによれば、不正行為を働く蓋然性の高い人物を重点的に監視できることになり、監視効率の向上と監視労力の軽減とを図ることができる。また、この監視により不正行為を未然に防止できることになる。
【００２６】
また、請求項７の不正容疑者絞込みシステムによれば、時間帯別の遊技客の動向を知ることができ、更に入庫後、出庫していない不法駐車車両等の特定も可能となる。
【００２７】
また、請求項８の不正容疑者絞込みシステムによれば、警察等から不正容疑者（場合によっては不正行為者）に係わる捜査資料や証拠資料等の提出を求められた場合等にも、容易に対応できる。
【００２８】
また、請求項９、１１の不正容疑者絞込みシステムによれば、遊技システムからの情報入力、遊技システムへの情報出力といった遊技システム間との連携が可能となる。
【００２９】
また、請求項１３の不正容疑者絞込みシステムによれば、駐車場内を徘徊する不審者や、車上荒らし等に対しても対応できる。
【００３０】
また、請求項１４、１５の不正容疑者情報処理装置によれば、不正行為を働く蓋然性の高い人物を重点的に監視できることになり、監視効率の向上と監視労力の軽減とを図ることができる。また、この監視により不正行為を未然に防止できることになる。
【００３１】
また、請求項１６、１７の不正容疑者情報処理プログラムによれば、不正行為を働く蓋然性の高い人物を重点的に監視できることになり、監視効率の向上と監視労力の軽減とを図ることができる。また、この監視により不正行為を未然に防止できることになる。
【発明を実施するための最良の形態】
【００３２】
以下、本発明に係わる不正容疑者絞込みシステムおよび不正容疑者情報処理装置および不正容疑者情報処理プログラムの実施例について添付図面を参照して詳細に説明する。なお、本実施例においては、本発明に係わる不正容疑者絞込みシステムをパチンコホールに適用する場合を例に挙げて説明するが、これに限られず、パチンコホールに類する遊技サービスを提供するアミューズメント施設や、カジノ施設等にも適用することができる。
【実施例１】
【００３３】
図１は、パチンコホール敷地内（パチンコホール、駐車場）を俯瞰した図である。
【００３４】
パチンコホールに設けられた駐車場には、１または複数の入出庫ゲート（この場合、入出庫ゲートは２つ）が設けられており、遊技客はこのゲートを自動車（以下、車両と言うこともある）で通過して駐車場を入出庫する。入出庫ゲートには、監視カメラが設けられており、当ゲートを通過する車両や人の撮影を行う。監視カメラは、入出庫ゲートに限られず、様々な場所に設置することができる（例えば、監視カメラ３、監視カメラ４）。これは、敷地内への不審者の侵入や、車上荒らし等の監視を行うためである。
【００３５】
ここで、図２を用いて、図１に示すパチンコホール、駐車場におけるシステム構成の概要について説明する。
【００３６】
本システム構成は大きく、遊技システムと不正容疑者絞込みシステムとに分けられる。なお、遊技システム、不正容疑者絞込みシステム、またこれらシステムに組み込まれた各装置は、ＬＡＮ（Local Area Network）やＷＡＮ（Wide Area Network）等で構成されたネットワーク１４や、パルス接続ケーブル（台間ユニット７３、遊技台７４間）、ＢＮＣ接続ケーブル（監視カメラ１０、分配器１１、カメラ映像録画装置１２、動体認識装置２０間）等を介して通信可能に接続されている。
【００３７】
遊技システムには、ホールコンピュータ７１を中心として、パチンコ、スロット等の遊技台７４、台間ユニット７３、島ユニット７２、インカム装置７５、店内監視カメラ７６、等の各装置が接続されている。遊技システムは、遊技台を通して遊技客に遊技サービスを提供する機能を果たす。なお、遊技システムを構成する各装置は、従来のものと略同様の機能となるため、その説明については省略する。
【００３８】
不正容疑者絞込みシステムには、システムサーバ４０を中心として、監視カメラ１０、分配器１１、カメラ映像録画装置１２、動体認識装置２０、プリンタ１３、等の各装置が接続されている。不正容疑者絞込みシステムは、監視カメラ１０で撮影された映像に基づき不正行為を働く蓋然性の高い者（以下、このような人物を不正容疑者と言う）を絞り込む機能を果たす。
【００３９】
ここで、本実施例における不正容疑者絞込みシステムの説明を分かり易くするために、不正容疑者を絞り込む際の動作の流れについて簡単に説明する。なお、本実施例では、パチンコホール敷地内に徒歩で来場する人物を不正容疑者として判別することとする。
【００４０】
監視カメラ１０では、駐車場に設けられた入出庫ゲート近傍を撮影している。撮影された映像は分配器１１を介して順次、カメラ映像録画装置１２、動体認識装置２０へと入力される。カメラ映像録画装置１２に入力された撮影映像は、カメラ映像データとして記憶されることになり、動体認識装置２０に入力された撮影映像は、当該撮影映像を元にして不正容疑者の判別が行なわれる。
【００４１】
ここで、不正容疑者の判別方法について説明する。監視カメラ１０により図３に示す映像が撮影されたとした場合、この撮影映像を受けた動体認識装置２０はまず、当該映像内における移動体を検知し、この移動体が人であるか否かの判別を行なう。ここで、人であると判別した場合には更に、撮像映像内に設けられた図４に示す禁止ラインを当該人物が所定方向に通過するまで監視を行なう。そして、当該人物が禁止ラインを所定方向に向けて通過した旨確認すると、当該人物を不正容疑者と判別することになる。なお、撮影映像内の移動体が人であるか否かの判別は、人の平均的なサイズに相当するサイズ情報、人の平均的な移動速度に相当する移動速度情報が設定情報として予め保持されており、この情報と比較することで行なわれる。これにより、動物、バイク等が禁止ラインを所定方向に通過したとしてもそれらは除外されることになる。
【００４２】
さてここで、人が禁止ラインを所定方向に向けて通過した旨確認されると、これを受けた動体認識装置２０は、当該人物を不正容疑者として判別するとともに、その判別した年月日、時刻、当該映像を撮影した監視カメラ番号、判別要因（判別情報、詳細情報）等を含む情報（以下、この情報のことを不正容疑者判別情報と言う）をシステムサーバ４０へ送信する。
【００４３】
システムサーバ４０では、受信した不正容疑者判別情報を通報データ用データベース５２（図７参照）に登録するとともに、当該不正容疑者判別情報と対応する撮影映像をカメラ映像録画装置１２から取得し、当該不正容疑者を撮影した監視カメラ１０からの映像を含む画面（図８参照）を表示する等してアラート処理を行う。また、この通報データ用データベース５２へのデータ登録が済むとシステムサーバ４０は、その旨を動体認識装置２０に通知する。これは、動体認識装置２０内に保持された当該通知と対応する不正容疑者判別情報を削除するためである。これにより、動体認識装置２０に不要な不正容疑者判別情報が残らないため、動体認識装置２０におけるシステムリソース（記憶領域）を有効利用できることになる。
【００４４】
この一連の処理が終わるとシステムサーバ４０は、ホールコンピュータ７１に向けて不正容疑者に係わる情報（例えば、不正容疑者の顔情報（顔映像、顔画像等）が含まれる）の送信を行う。すなわち、不正容疑者絞込みシステムから遊技システムに向けて不正容疑者に係わる情報の連携を行なう。この連携が行われることで、従業員のインカムに不正容疑者に係わる情報が伝えられたり、また、パチンコホール内の店内監視カメラ７６による当該不正容疑者に対する監視が重点的に行われたりすることになる。なお、システムサーバ４０とホールコンピュータ７１とがネットワーク１４接続されていない等により当該連携が行えない場合には、カメラ映像録画装置１２を介すなどしてパルス信号を用いて台間ユニット７３、島ユニット７２に不正容疑者に係わる情報を送信するようにすれば、上記同様のシステム間連携を実現できる。
【００４５】
監視の結果、従業員の目視や監視カメラの映像により当該不正容疑者が不正行為を働いた旨確認された場合には、システムサーバ４０の通報データ用データベース５２に登録されたデータや、当該データと対応するカメラ映像録画装置１２内の録画映像若しくはそのキャプチャ画像をプリンタ１３から印刷したり、また、ＣＤ／ＤＶＤドライブ等を用いて外部記録媒体へ書き込みを行ったりする。これにより、不正行為者（不正容疑者であってもよい。）に係わる情報の捜査資料や証拠資料等を警察官やガードマンなどに求められた場合にも容易に対応できる。
【００４６】
次に、図５および図６を用いて、図２に示す動体認識装置２０、システムサーバ４０の構成について詳述する。
【００４７】
まず、図５を用いて、動体認識装置２０の機能的な構成の一部について説明する。
【００４８】
動体認識装置２０は、その機能構成として、制御部２１と、記憶部２２と、通信部２３とを具備して構成される。なお、動体認識装置２０には、表示部や操作部等の処理機能が設けられていてもよいが、必須の構成要素ではないため、ここでは当該処理機能の図示、説明については省略する。
【００４９】
制御部２１は、ＣＰＵ（Central Processing Unit）、ＲＯＭ(Read Only Memory)やＲＡＭ(Random Access Memory)等のメモリ等から構成され、動体認識装置２０における処理を統括制御する機能を果たす。
【００５０】
記憶部２２は、ＨＤＤ（Hard Disk Drive）等から構成され、各種データを記憶する記憶装置としての機能を果たす。記憶部２２には各種プログラムやＯＳ（Operating System）が記憶される他、各種設定情報や不正容疑者判別情報（一時的）等が記憶される。設定情報には、上記図４で説明した禁止ラインの位置情報、禁止ラインの通過方向の方向情報、人の平均的なサイズに相当するサイズ情報、人の平均的な移動速度に相当する移動速度情報が含まれる。
【００５１】
通信部２３は、ネットワークカード、ＢＮＣ接続端子等で構成され、動体認識装置２０とその他各装置との通信を制御する通信インターフェースとしての機能を果たす。以上が、動体認識装置２０を構成する各種処理機能の説明である。なお、図５においては、説明を分かり易くするために、各処理機能を具体的に実現する構成を例示しているが、これはあくまで一例であり、これ以外の構成により各処理機能が実現されてもよい。
【００５２】
続いて、制御部２１の機能的な構成の一部について説明する。なお、この制御部２１上に実現される各種処理機能は主に、ＣＰＵが記憶部２２に記憶されたプログラムを実行することで実現される。
【００５３】
制御部２１は、その機能構成として、移動体検知部３１と、人判別部３２と、不正容疑者判別部３３と、判別情報作成部３４と、判別情報削除部３５と、判別情報送信部３６とを具備して構成される。
【００５４】
移動体検知部３１は、監視カメラ１０で撮影された映像を解析し移動体を検知する機能を果たし、人判別部３２は、当該検知された移動体が人であるか否かを判別する機能を果たし、不正容疑者判別部３３は、当該人と判別された移動体が不正容疑者であるか否かを判別する機能を果たす。不正容疑者判別部３３では、上記図４で説明した禁止ラインを所定方向に向けて通過する人物を不正容疑者として判別することになる。なお、不正容疑者の判別に必ずしも、禁止ライン、所定方向、人を特定するためのサイズや速度等の条件を用いる必要はなくこれらを選択的あるいは、これ以外の条件を用いてもよい。例えば、禁止ラインを使用せず所定サイズかつ所定速度で移動する移動体が撮影映像内に現れた場合に、当該移動体を一律に不正容疑者と判定するようにしてもよい。
【００５５】
判別情報作成部３４は、不正容疑者判別情報を作成する機能を果たす。上記説明した通り、不正容疑者判別情報には、年月日、時刻、監視カメラ番号、判別要因（判別情報、詳細情報）等が含まれる。
【００５６】
判別情報削除部３５は、不正容疑者判別情報を削除する機能を果たす。上記説明した通り、不正容疑者判別情報の削除は、システムサーバ４０の通報データ用データベース５２に該当する不正容疑者判別情報の登録が済んだ後、その旨の通知がシステムサーバ４０から送られてきたタイミングで行われる。
【００５７】
判別情報送信部３６は、通信部２３を介して不正容疑者判別情報をシステムサーバ４０に送信する機能を果たす。
【００５８】
次に、図６を用いて、システムサーバ４０の機能的な構成の一部について説明する。
【００５９】
システムサーバ４０は、その機能構成として、表示部４１と、操作部４２と、制御部４３と、記憶部４４と、外部記録媒体処理部４５と、通信部４６とを具備して構成される。
【００６０】
表示部４１は、ディスプレイ等の表示装置であり、各種情報の表示を行う機能を果たす。操作部４２は、キーボードやマウス等の入力装置であり、操作者からの指示を装置内に入力する機能を果たす。
【００６１】
制御部４３は、ＣＰＵ、ＲＯＭやＲＡＭ等のメモリ等から構成され、システムサーバ４０における処理を統括制御する機能を果たす。
【００６２】
記憶部４４は、ＨＤＤ等から構成され、各種データを記憶する記憶装置としての機能を果たす。記憶部４４には各種プログラムやＯＳが記憶される他、監視カメラマッピングデータ５１、通報データ用データベース５２、アラート動作設定情報５３が記憶される。監視カメラマッピングデータ５１とは、監視カメラの番号と、当該監視カメラの設置場所とを関連付けた情報であり、通報データ用データベース５２とは、動体認識装置２０からの不正容疑者判別情報に基づくデータが管理されたデータベースであり、図７に示すデータ構成（年月日、時刻、監視カメラ番号、判別要因（判別情報、詳細情報））を採る。また、アラート動作設定情報５３とは、不正容疑者を確認した際にどのようなアラート処理を行うのかを示す情報である。なお、本実施例においては、システムサーバ４０の記憶部４４で通報データ用データベース５２を記憶管理する場合について説明するが、これに限られず、データベース専用サーバ等を別途設け、当該サーバにおいて通報データ用データベース５２を記憶管理するようにしてもよい。
【００６３】
外部記録媒体処理部４５は、ＣＤ／ＤＶＤドライブ等から構成され、ＣＤ−ＲやＤＶＤ−ＲＷ／−ＲＡＭ等の外部記録媒体へデータの書き込み／読み込み等を行なう機能を果たす。なお、外部記録媒体は、システムサーバ４０内のデータをサーバ外部に持ち出す役割を果たせる記録媒体であればよく、例えば、ＭＯ（Magneto-Optical disk）や、ＵＳＢ（Universal Serial Bus）メモリ等であってもよい。
【００６４】
通信部４６は、ネットワークカード等で構成され、システムサーバ４０とネットワークとの通信を制御する通信インターフェースとしての機能を果たす。以上が、システムサーバ４０を構成する各種処理機能の説明である。なお、図６においては、説明を分かり易くするために、各処理機能を具体的に実現する構成を例示しているが、これはあくまで一例であり、これ以外の構成により各処理機能が実現されてもよい。
【００６５】
続いて、上述した制御部４３の機能的な構成の一部について説明する。なお、この制御部４３上に実現される各種処理機能は主に、ＣＰＵが記憶部４４に記憶されたプログラムを実行することで実現される。
【００６６】
制御部４３は、その機能構成として、不正容疑者情報取得部６０と、通報データ登録部６１と、警告音鳴動処理部６２と、表示処理部６３と、不正容疑者情報送信部６４と、印刷出力処理部６５と、外部記録媒体出力処理部６６と、アラート処理制御部６７とを具備して構成される。
【００６７】
不正容疑者情報取得部６０は、不正容疑者に係わる情報を取得する機能を果たす。すなわち、動体認識装置２０から不正容疑者判別情報を取得（受信）したり、当該不正容疑者判別情報と対応する撮影映像（不正容疑者が撮影された映像）をカメラ映像録画装置１２から取得したりする。
【００６８】
通報データ登録部６１は、通報データ用データベース５２にデータを登録する機能を果たす。すなわち、動体認識装置２０からの不正容疑者判別情報に基づき通報データ用データベース５２にデータの登録を行なう。
【００６９】
警告音鳴動処理部６２は、スピーカー（不図示）等から警告音を鳴動させる機能を果たす。
【００７０】
表示処理部６３は、各種画面を表示部４１に表示させる機能を果たす。ここで、図８を用いて不正容疑者監視画面について説明する。不正容疑者監視画面では、不正容疑者が撮影された映像とともに、監視カメラマッピングデータ５１に基づき当該不正容疑者を撮影したカメラの設置場所が併せて表示される。この場合、監視カメラ番号２の監視カメラの映像が表示されている旨示されている。また、画面下部（左側）には、不正容疑者を判別した旨の情報が随時表示され、画面下部（右側）には、不正容疑者が判別された直後から所定時間内、警告文言が表示される。なお、この文言の表示とともに、当該文言の背景色を変える（例えば、黒色背景から赤色背景）などして操作者に注意を喚起するようにしてもよい。
【００７１】
不正容疑者情報送信部６４は、不正容疑者に係わる情報を遊技システムに送信する機能を果たす。不正容疑者に係わる情報は、通報データ用データベース５２に登録されたデータ、当該データと対応するカメラ映像録画装置１２内の録画映像若しくはそのキャプチャ画像、の全部若しくはその一部を含んで構成される。なお、本実施例における不正容疑者情報送信部６４では不正容疑者に係わる情報の送信先を遊技システムとしているが、この送信先は適宜変更できる。例えば、送信先を警備会社としてもよい。
【００７２】
印刷出力処理部６５は、不正容疑者に係わる情報をプリンタ１３から印刷させる機能を果たす。すなわち、不正容疑者に係わる情報に対する印刷をプリンタ１３に指示する。
【００７３】
外部記録媒体出力処理部６６は、不正容疑者に係わる情報を外部記録媒体へ出力させる機能を果たす。外部記録媒体出力処理部６６による外部記録媒体へのデータ出力は、上記説明した外部記録媒体処理部４５を制御することで行なわれる。
【００７４】
アラート処理制御部６７は、システムサーバ４０におけるアラート処理を統括制御する機能を果たす。アラート処理に際して、上記説明した制御部４３上に構成される各処理機能は、アラート処理制御部６７の制御に基づき動作することになる。なお、アラート処理制御部６７におけるアラート制御は、アラート動作設定情報５３に基づき行われる。
【００７５】
以上が、システムサーバ４０についての説明である。なお、上記図５、図６を用いて、動体認識装置２０、システムサーバ４０の機能的な構成について説明したが、これら各装置に設けられた機能的な構成は、必ずしも上記図示した通りに実現される必要はなく、システム内におけるいずれかの装置にその全部若しくは一部が実現されていればよい。
【００７６】
ここで、図９、図１０および図１１を用いて、図２に示す不正容疑者絞込みシステムにおける処理の流れについて説明する。
【００７７】
まず、図９を用いて、動体認識装置２０おける処理の流れについて説明する。
【００７８】
動体認識装置２０は、監視カメラ１０から入力されてくる撮影映像を解析し、当該映像内に現れる移動体の監視を行なう。なお、この監視中にシステムサーバ４０から通報データの登録が済んだ旨受信した場合には（ステップＳ１０１でＮＯの後、ステップＳ１０２でＹＥＳ）、判別情報削除部３５において、当該受信した通知と対応する不正容疑者判別情報を削除することになる（ステップＳ１０３）。
【００７９】
ここで、撮影映像内に移動体が現れると動体認識装置２０は、移動体検知部３１において当該移動体を検知するとともに（ステップＳ１０１でＹＥＳ）、人判別部３２において当該検知された移動体が人であるか否かの判別を行なう。判別の結果、検知された移動体が人でない場合（ステップＳ１０４でＮＯ）、動体認識装置２０は再び、ステップＳ１０１における監視処理に戻ることになるが、検知された移動体が人である場合には（ステップＳ１０４でＹＥＳ）、動体認識装置２０は、不正容疑者判別部３３において当該人物が不正容疑者であるか否かの判別を行なう。すなわち、人と判別された移動体が禁止ラインを所定方向に向けて通過するか否かの監視を行なう（ステップＳ１０５）。
【００８０】
監視の結果、所定方向に向けた禁止ラインの通過が確認されなかった場合には（ステップＳ１０６でＮＯ）、動体認識装置２０は再び、ステップＳ１０１における監視処理に戻ることになるが、所定方向に向けた禁止ラインの通過が確認された場合には（ステップＳ１０６でＹＥＳ）、動体認識装置２０は、当該人物を不正容疑者であると判別し、判別情報作成部３４において不正容疑者判別情報を作成する（ステップＳ１０７）。そして、この作成した不正容疑者判別情報を記憶部２２に記憶した後（ステップＳ１０８）、判別情報送信部３６において、システムサーバ４０に向けて送信する（ステップＳ１０９）。その後、動体認識装置２０は再び、ステップＳ１０１における監視を継続して行なうことになる。
【００８１】
次に、図１０を用いて、システムサーバ４０における処理の流れについて説明する。
【００８２】
システムサーバ４０では、動体認識装置２０から不正容疑者判別情報を受信するか、操作者による外部記録媒体等への出力指示を受けるかするまで待機している（ステップＳ２０１でＮＯの後、ステップＳ２０２でＮＯ）。ここで、外部記録媒体への出力指示を受けた場合には（ステップＳ２０２でＹＥＳ）、外部記録媒体処理部４５において、外部記録媒体出力処理部６６の制御に基づき当該指示された不正容疑者に係わる情報を外部記録媒体に書き込む。その後、システムサーバ４０は再び、ステップＳ２０１およびステップＳ２０２における待機状態に移行する。なお、操作者から受けた出力指示が紙媒体への出力指示であれば、印刷出力処理部６５において、不正容疑者に係わる情報の印刷をプリンタ１３に指示することになる。
【００８３】
また、ステップＳ２０１およびステップＳ２０２における待機中に不正容疑者判別情報を受信した場合には（ステップＳ２０１でＹＥＳ）、システムサーバ４０は、通報データ登録部６１において、当該受信した不正容疑者判別情報を通報データ用データベース５２に登録するとともに（ステップＳ２０４）、当該登録が済んだ旨を動体認識装置２０に通知する（ステップＳ２０５）。
【００８４】
この通知が済むとシステムサーバ４０は、後述するアラート処理を行った後（ステップＳ２０６）、再びステップＳ２０１およびステップＳ２０２における待機状態に移行する。
【００８５】
ここで、図１１を用いて、ステップＳ２０６におけるアラート処理の流れについて説明する。
【００８６】
この処理が開始されるとアラート処理制御部６７は、アラート動作設定情報５３に基づき不正容疑者を撮影した映像を表示部４１に表示させるか否かの判断を行なう。この結果、表示しない旨の設定がなされていた場合には（ステップＳ３０１でＮＯ）、次のアラート処理に対する判断に移ることになるが、表示する旨の設定がなされていた場合には（ステップＳ３０１でＹＥＳ）、不正容疑者情報取得部６０において当該不正容疑者判別情報と対応する撮影映像をカメラ映像録画装置１２から取得し（ステップＳ３０２）、表示処理部６３において、当該取得した撮影映像を含む画面を表示部４１に表示する（ステップＳ３０３）。このとき、操作者に注意を喚起するために、警告表示等を同時に行ってもよい。
【００８７】
続いて、アラート処理制御部６７は、アラート動作設定情報５３に基づきスピーカーから警告音を鳴動させるか否かの判断を行なう。この結果、鳴動しない旨の設定がなされていた場合には（ステップＳ３０４でＮＯ）、次のアラート処理に対する判断に移ることになるが、鳴動する旨の設定がなされていた場合には（ステップＳ３０４でＹＥＳ）、警告音鳴動処理部６２においてスピーカーから警告音を鳴動させる（ステップＳ３０５）。
【００８８】
続いて、アラート処理制御部６７は、アラート動作設定情報５３に基づき遊技システムへの連携を行うか否かの判断を行なう。この結果、連携しない旨の設定がなされていた場合には（ステップＳ３０６でＮＯ）、そのままこの処理を終了することになるが、連携する旨の設定がなされていた場合には（ステップＳ３０６でＹＥＳ）、不正容疑者情報送信部６４において、不正容疑者に係わる情報をホールコンピュータ７１に向けて送信し、システム間連携を行う（ステップＳ３０７）。その後、この処理は終了する。
【００８９】
なお、上記図１１で説明したシステムサーバ４０におけるアラート処理はあくまで一例であり、これ以外のアラート処理を行うようにしてもよい。例えば、パトランプを点灯させる等のアラート処理を行うようにしてもよい。
【実施例２】
【００９０】
次に実施例２について説明する。まず、図１２を用いて、実施例２に係わるパチンコホール、駐車場におけるシステム構成の概要について説明する。なお、上記実施例１で説明した図２と同一の符号が付されているものは略同様に動作するため、その説明を省略するものもある。ここでは、実施例１との相違点についてのみ説明する。
【００９１】
実施例２に係わる監視カメラ１０では、徒歩来場者ではなく、入出庫ゲートを通過する自動車の車両を撮影する。この撮影映像は、図１３に示すように、入庫時には搭乗者と当該車両のナンバープレート（以下、車番と言う）とを含むものとなり、出庫時には当該車両の車番を含むものとなる。
【００９２】
また、実施例２においては、実施例１における動体認識装置２０の代わりに車番認識装置８０が設けられる。車番認識装置８０では、監視カメラ１０から受けた撮影映像内から車番の認識等を行う。また更に、実施例２においては、実施例１における通報データ用データベース５２に加えて車両データ用データベース５４が設けられる。
【００９３】
ここで、実施例２に係わる不正容疑者絞込みシステムの説明を分かり易くするために、不正容疑者を絞り込む際の動作の流れについて簡単に説明する。なお、実施例２では、駐車場に滞在した時間が所定時間以内であった車両に搭乗していた人物を不正容疑者として判別することとする。
【００９４】
監視カメラ１０では、駐車場に設けられた入出庫ゲート近傍を撮影している。撮影された映像は分配器１１を介して順次、カメラ映像録画装置１２、車番認識装置８０へと入力される。カメラ映像録画装置１２に入力された撮影映像は、カメラ映像データとして記憶されることになり、車番認識装置８０に入力された撮影映像は、当該撮影映像を元にして車番の認識等が行われる。
【００９５】
車番認識装置８０において、入出庫ゲートを通過して入庫してきた車両の車番が認識されると、車番認識装置８０は、その認識した年月日、時刻、当該映像を撮影したカメラ番号、車番情報（地域、車種、用途、通番）、当該車両が入庫、出庫のいずれであるかを示す入出庫フラグ等を含む情報（以下、この情報のことを入出庫車両情報と言う）をシステムサーバ４０へ送信する。
【００９６】
システムサーバ４０では、受信した入出庫車両情報を車両データ用データベース５４に登録するとともに、車両データ用データベース５４へのデータ登録が済んだ旨を車番認識装置８０に通知する。これは、車番認識装置８０内に保持された当該通知と対応する入出庫車両情報を削除するためである。これにより、車番認識装置８０に不要な入出庫車両情報が残らないため、車番認識装置８０におけるシステムリソース（記憶領域）を有効利用できることになる。
【００９７】
この上述した入出庫ゲートを入庫する車両に対して行った処理は、当該車両が入出庫ゲートを出庫する際にも行われる。ここで、出庫する車両から認識された入出庫車両情報がシステムサーバ４０に向けて送信されると、これを受信したシステムサーバ４０では、当該車両の車番に基づき当該車両が駐車場に滞在した時間を算出するとともに、当該算出した時間に基づき当該車両に不正容疑者が搭乗していたか否かの判別を行う。具体的には、駐車場滞在時間が予め決められた時間（例えば、５分間）よりも短ければ、当該車両に不正容疑者が搭乗していたと判別することになる。これは、不正行為者の多くが他の人の運転で来場する傾向にあり、またこのような車両は不正行為者を駐車場内で降ろした後、短時間で出庫することが多いためである。
【００９８】
判別の結果、当該車両に搭乗していた人物が不正容疑者であると判別された場合には、システムサーバ４０は、車両データ用データベース５４に登録されたデータ等に基づき通報データ用データベース５２に不正容疑者に係わる情報を登録するとともに、当該車両入庫時に録画された撮影映像をカメラ映像録画装置１２から取得し、不正容疑者搭乗車両を撮影した監視カメラ１０からの映像を含む画面を表示する等してアラート処理を行う。ここで車両入庫時の撮影映像を取得するのは、車両入庫時の撮影映像には、上記図１３で説明した通り、搭乗者の顔映像が含まれているためである。
【００９９】
この一連の処理が終わるとシステムサーバ４０は、ホールコンピュータ７１に向けて不正容疑者に係わる情報（例えば、不正容疑者の顔情報が含まれる）の送信を行う。すなわち、不正容疑者絞込みシステムから遊技システムに向けて不正容疑者に係わる情報の連携を行なう。この連携が行われることで、従業員のインカムに不正容疑者に係わる情報が伝えられたり、また、パチンコホール内の店内監視カメラ７６による当該不正容疑者に対する監視が重点的に行われたりすることになる。なお、システムサーバ４０とホールコンピュータ７１とがネットワーク１４接続されていない等により当該連携が行えない場合には、カメラ映像録画装置１２を介すなどしてパルス信号を用いて台間ユニット７３、島ユニット７２に不正容疑者に係わる情報を送信するようにすれば、上記同様のシステム間連携を実現できる。
【０１００】
監視の結果、従業員の目視や監視カメラの映像により当該不正容疑者が不正行為を働いた旨確認された場合には、システムサーバ４０の通報データ用データベース５２に登録されたデータや、当該データと対応するカメラ映像録画装置１２内の録画映像若しくはそのキャプチャ画像をプリンタ１３から印刷したり、また、ＣＤ／ＤＶＤドライブ等を用いて外部記録媒体へ書き込みを行ったりする。これにより、不正行為者（不正容疑者であってもよい。）に係わる情報の捜査資料や証拠資料等を警察官やガードマンなどに求められた場合にも容易に対応できる。
【０１０１】
次に、図１４および図１５を用いて、図１２に示す車番認識装置８０、システムサーバ４０の構成について詳述する。
【０１０２】
まず、図１４を用いて、車番認識装置８０の機能的な構成の一部について説明する。
【０１０３】
車番認識装置８０は、その機能構成として、制御部８１と、記憶部８２と、通信部８３とを具備して構成される。なお、車番認識装置８０には、表示部や操作部等の処理機能が設けられていてもよいが、必須の構成要素ではないため、ここでは当該処理機能の図示、説明については省略する。
【０１０４】
制御部８１は、ＣＰＵ、ＲＯＭやＲＡＭ等のメモリ等から構成され、車番認識装置８０における処理を統括制御する機能を果たす。
【０１０５】
記憶部８２は、ＨＤＤ等から構成され、各種データを記憶する記憶装置としての機能を果たす。記憶部８２には各種プログラムやＯＳが記憶される他、各種設定情報や入出庫車両情報（一時的）等が記憶される。
【０１０６】
通信部８３は、ネットワークカード、ＢＮＣ接続端子等で構成され、車番認識装置８０とその他各装置との通信を制御する通信インターフェースとしての機能を果たす。以上が、車番認識装置８０を構成する各種処理機能の説明である。なお、図１４においては、説明を分かり易くするために、各処理機能を具体的に実現する構成を例示しているが、これはあくまで一例であり、これ以外の構成により各処理機能が実現されてもよい。
【０１０７】
続いて、制御部８１の機能的な構成の一部について説明する。なお、この制御部８１上に実現される各種処理機能は主に、ＣＰＵが記憶部８２に記憶されたプログラムを実行することで実現される。
【０１０８】
制御部８１は、その機能構成として、移動体検知部９１と、車両判別部９２と、車番認識部９３と、入出庫判定部９４と、車両情報作成部９５と、車両情報削除部９６と、車両情報送信部９７とを具備して構成される。
【０１０９】
移動体検知部９１は、監視カメラ１０で撮影された映像を解析し移動体を検知する機能を果たし、車両判別部９２は、当該検知された移動体が車両であるか否かを判別する機能を果たし、車番認識部９３は、当該車両と判別された車両の車番を認識する機能を果たす。なお、車番認識については従来用いられている技術で実現できるため、詳細については省略する。
【０１１０】
入出庫判定部９４は、監視カメラ１０で撮影された映像が入庫車両を撮影したものであるのか、出庫車両を撮影したものであるのかを判定する機能を果たす。判定方法としてはいくつか挙げられるが、例えば、撮影映像の解析により判定する場合には、撮影映像内の上部から移動体が現れ当該移動体が徐々に大きくなる場合に入庫、撮影映像内の下部から移動体が現れ当該移動体が徐々に小さくなる場合には出庫と判定する。また、入庫車両、出庫車両を撮影する監視カメラを別々に設けた場合には、監視カメラの番号等から入庫車両であるか出庫車両であるかの判定が行える。
【０１１１】
車両情報作成部９５は、入出庫車両情報を作成する機能を果たす。上記説明した通り、入出庫車両情報には、年月日、時刻、当該映像を撮影した監視カメラ番号、車番情報（地域、車種、用途、通番）、当該車両が入庫、出庫のいずれであるかを示す入出庫フラグ等が含まれる。
【０１１２】
車両情報削除部９６は、入出庫車両情報を削除する機能を果たす。上記説明した通り、入出庫車両情報の削除は、システムサーバ４０の車両データ用データベース５４に該当する入出庫車両情報の登録が済んだ後、その旨の通知がシステムサーバ４０から送られてきたタイミングで行われる。
【０１１３】
車両情報送信部９７は、通信部８３を介して入出庫車両情報をシステムサーバ４０に送信する機能を果たす。
【０１１４】
次に、図１５を用いて、システムサーバ４０の機能的な構成の一部について説明する。ここでは、制御部４３、記憶部４４以外の構成については特に相違点がないため、制御部４３、記憶部４４の構成についてのみ説明する。
【０１１５】
制御部４３には、不正容疑者判別部６８と、車両データ登録部６９とが新たに設けられる。不正容疑者判別部６８は、車両に搭乗していた人物が不正容疑者であるか否かを判別する機能を果たす。上記説明した通り、この判定は、車両が駐車場に滞在していた時間に基づき行なわれる。
【０１１６】
車両データ登録部６９は、車両データ用データベース５４にデータを登録する機能を果たす。すなわち、車番認識装置８０からの入出庫車両情報に基づき車両データ用データベース５４にデータの登録を行なう。
【０１１７】
記憶部４４には、車両データ用データベース５４が設けられる。車両データ用データベース５４とは、車番認識装置８０からの入出庫車両情報に基づくデータが管理されたデータベースであり、図１６（上側）に示すデータ構成（年月日、時刻、監視カメラ番号、車番情報（地域、車種、用途、通番）、入出庫フラグ）を採る。また、実施例２に係わる通報データ用データベース５２では、不正容疑者と判別された人物が搭乗していた車両に係わるデータが管理され、図１６（下側）に示すデータ構成（年月日、時刻、監視カメラ番号、判別要因、車番情報（地域、車種、用途、通番））を採る。なお、上記実施例１で説明した通り、これらデータベースを専用サーバ等で管理するようにしてもよい。
【０１１８】
以上が、システムサーバ４０についての説明である。なお、上記図１４、図１５を用いて、車番認識装置８０、システムサーバ４０の機能的な構成について説明したが、これら各装置に設けられた機能的な構成は、必ずしも上記図示した通りに実現される必要はなく、システム内におけるいずれかの装置にその全部若しくは一部が実現されていればよい。
【０１１９】
ここで、図１７、図１８を用いて、図１２に示す不正容疑者絞込みシステムにおける処理の流れについて説明する。
【０１２０】
まず、図１７を用いて、車番認識装置８０おける処理の流れについて説明する。
【０１２１】
車番認識装置８０は、監視カメラ１０から入力されてくる撮影映像を解析し、当該映像内に現れる移動体の監視を行なう。なお、この監視中にシステムサーバ４０から車両データの登録が済んだ旨受信した場合には（ステップＳ４０１でＮＯの後、ステップＳ４０２でＹＥＳ）、車両情報削除部９６において、当該受信した通知と対応する入出庫車両情報を削除することになる（ステップＳ４０３）。
【０１２２】
ここで、撮影映像内に移動体が現れると車番認識装置８０は、移動体検知部９１において当該移動体を検知するとともに（ステップＳ４０１でＹＥＳ）、車両判別部９２において当該検知された移動体が車両であるか否かの判別を行なう。判別の結果、検知された移動体が車両でない場合には（ステップＳ４０４でＮＯ）、車番認識装置８０は再び、ステップＳ４０１における監視処理に戻ることになるが、検知された移動体が車両である場合には（ステップＳ４０４でＹＥＳ）、車番認識装置８０は、車番認識部９３において、当該車両の車番の認識を行なうとともに（ステップＳ４０５）、入出庫判定部９４において、入庫であるか出庫であるかの判定を行なう（ステップＳ４０６）。
【０１２３】
この判定が済むと車番認識装置８０は、車両情報作成部９５において入出庫車両情報を作成する（ステップＳ４０７）。そして、この作成した入出庫車両情報を記憶部８２に記憶した後（ステップＳ４０８）、車両情報送信部９７において、システムサーバ４０に向けて送信する（ステップＳ４０９）。その後、車番認識装置８０は再び、ステップＳ４０１における監視を継続して行なうことになる。
【０１２４】
次に、図１８を用いて、システムサーバ４０における処理の流れについて説明する。
【０１２５】
システムサーバ４０では、車番認識装置８０から入出庫車両情報を受信するか、操作者による外部記録媒体等への出力指示を受けるかするまで待機している（ステップＳ５０１でＮＯの後、ステップＳ５０２でＮＯ）。ここで、外部記録媒体への出力指示を受けた場合には（ステップＳ５０２でＹＥＳ）、外部記録媒体処理部４５において、外部記録媒体出力処理部６６の制御に基づき当該指示された不正容疑者に係わる情報を外部記録媒体に書き込む。その後、システムサーバ４０は再び、ステップ５０１およびステップＳ５０２における待機状態に移行する。なお、操作者から受けた出力指示が紙媒体への出力指示であれば、印刷出力処理部６５において、不正容疑者に係わる情報の印刷をプリンタ１３に指示することになる。
【０１２６】
また、ステップＳ５０１およびステップＳ５０２における待機中に入出庫車両情報を受信した場合には（ステップＳ５０１でＹＥＳ）、システムサーバ４０は、車両データ登録部６９において、当該受信した入出庫車両情報を車両データ用データベース５４に登録するとともに（ステップＳ５０４）、当該登録が済んだ旨を車番認識装置８０に通知する（ステップＳ５０５）。
【０１２７】
この通知が済むとシステムサーバ４０は、同一車番のデータが既に車両データ用データベース５４に登録されているか確認する（ステップＳ５０６）。確認の結果、同一車番のデータがなければ（ステップＳ５０７でＮＯ）、システムサーバ４０は再び、ステップＳ５０１およびステップＳ５０２における待機状態に戻ることになるが、同一車番のデータがあれば（ステップＳ５０７でＹＥＳ）、システムサーバ４０は、不正容疑者判別部６８において当該車両に搭乗していた人物が不正容疑者であるか否かの判別を行なう。具体的には、車両データ用データベース５４から同一車番の車両に係わる情報を取得し、当該車両の入庫時刻と出庫時刻の差から駐車場に滞在した時間を算出し（ステップＳ５０８）、当該滞在時間が所定時間以内であるか否かに基づき不正容疑者の判別を行なう。
【０１２８】
判別の結果、当該車両の駐車場滞在時間が所定時間を越えている場合には（ステップＳ５０９でＮＯ）、システムサーバ４０は再び、ステップＳ５０１およびステップＳ５０２における待機状態に移行することになるが、当該車両の駐車場滞在時間が所定時間以内である場合には（ステップＳ５０９でＹＥＳ）、システムサーバ４０は、当該搭乗人物を不正容疑者であると判別し、通報データ登録部６１において、車両データ用データベース５４に登録されたデータ等に基づき通報データ用データベース５２に不正容疑者に係わる情報を登録する（ステップＳ５１０）。その後、システムサーバ４０は、アラート処理を行った後（ステップＳ５１１）、再びステップＳ５０１およびステップＳ５０２における待機状態に移行する。なお、ステップＳ５１０におけるアラート処理では、上記実施例１の図１１と同様の処理が行われるため、その説明については省略する。
【０１２９】
以上が本発明の代表的な実施形態の一例であるが、本発明は、上記および図面に示す実施例に限定することなく、その要旨を変更しない範囲内で適宜変形して実施できるものである。
【０１３０】
例えば、上記実施例１と上記実施例２とを組み合わせて実施してもよい。すなわち、徒歩来場者、車両来場者、の両方を対象として不正容疑者を絞りこむようにしてもよい。
【０１３１】
また、不正容疑者絞込みシステムから遊技システムに不正容疑者に係わる情報の連携後、当該不正容疑者の遊技データ（入金額、大当たり回数等）を遊技システムから不正容疑者絞込みシステムに連携し、システムサーバ４０における通報データ用データベース５２で遊技データを対応付けて管理するようにしてもよい。この場合、通報データ用データベース５２は、図１９に示すように、遊技データ（遊技時間、大当たり回数、入金額）等が追加されることになる。なお、図１９では更に、当該不正容疑者の顔情報も対応付けて管理されている。ここで、この顔情報は、遊技中の不正容疑者を所定のタイミング（入金、アウト発生、カード挿入等）で撮影した画像である。この場合、顔認証サーバ（顔認証アプリケーションでも可）等を新たに設け、この遊技システムから連携を受けた顔画像を認証し、不正容疑者絞込みシステムにおける顔情報（この場合、カメラ映像録画装置１２内の顔映像）と整合性がとれているか否かを確認するようにしてもよい。なお、図１９に示す通報データ用データベース５２の構成は、実施例１の図７で説明した通報データ用データベース５２に遊技データ等を追加したものであるが、実施例２における通報データ用データベース５２に対しても同様に当該データの追加が可能である。
【０１３２】
また、駐車場内の任意の場所に設置された監視カメラ（例えば、図１で説明した監視カメラ３、監視カメラ４等）により、駐車場内を徘徊する不審者（車上荒らしやいたずらを行なう恐れがある）を判別するようにしてもよい。この場合、図２０に示すように、動体認識装置２０において、人が所定区域内に所定時間以上徘徊している場合に不審者であると判別するようにすれば、このような不審者を判別することができる。
【０１３３】
また、車両データ用データベース５４においては、駐車場を入出庫する車両に係わる情報が管理されているので、この情報に基づく時間帯別の来場者の推移を示す情報を出力するようにしてもよい。例えば、図２１に示す画面レイアウトで表示等することができる。この場合、各時間における入庫車両がグラフ化されている。
【０１３４】
また、実施例２で説明した入庫時の撮影映像内（図１３参照）に搭乗者までは撮影されていなかった場合には（カメラの解像能力不足や後部座席の搭乗者を想定）、当該車両の出庫時刻（アラートのタイミング）に、パチンコホールに入場した遊技客に注意を向けるよう従業員に注意を促すようにしてもよい。
【０１３５】
また、上記説明したシステムサーバ４０、動体認識装置２０、車番認識装置８０において動作するプログラムは、ネットワーク等の通信手段により提供することは勿論、ＣＤ−ＲＯＭ等の外部記録媒体に管理して提供することも可能である。
【図面の簡単な説明】
【０１３６】
【図１】パチンコホール敷地内（パチンコホール、駐車場）を俯瞰した図である。
【図２】図１に示すパチンコホール、駐車場におけるシステム構成の概要を示す図である。
【図３】図２に示す監視カメラ１０により撮影された映像の一例を示す図である。
【図４】図２に示す動体認識装置２０における映像解析の一例を示す図である。
【図５】図２に示す動体認識装置２０の機能的な構成の一部を示す図である。
【図６】図２に示すシステムサーバ４０の機能的な構成の一部を示す図である。
【図７】図６に示す通報データ用データベース５２のデータ構成の一例を示す図である。
【図８】不正容疑者監視画面の画面レイアウトの一例を示す図である。
【図９】図２に示す動体認識装置２０における処理の流れを示すフローチャートである。
【図１０】図２に示すシステムサーバ４０における処理の流れを示す第１のフローチャートである。
【図１１】図２に示すシステムサーバ４０における処理の流れを示す第２のフローチャートである。
【図１２】実施例２に係わるパチンコホール、駐車場におけるシステム構成の概要を示す図である。
【図１３】図１２に示す監視カメラ１０により撮影された映像の一例を示す図である。
【図１４】図１２に示す動体認識装置２０の機能的な構成の一部を示す図である。
【図１５】図１２に示すシステムサーバ４０の機能的な構成の一部を示す図である。
【図１６】図１５に示す車両データ用データベース５４、通報データ用データベース５２のデータ構成の一例を示す図である。
【図１７】図１２に示す車番認識装置８０における処理の流れを示すフローチャートである。
【図１８】図１２に示すシステムサーバ４０における処理の流れを示すフローチャートである。
【図１９】通報データ用データベース５２のデータ構成の一例を示す図である。
【図２０】動体認識装置２０における映像解析の一例を示す図である。
【図２１】時間帯別の来場者の推移を示す画面の画面レイアウトの一例を示す図である。
【符号の説明】
【０１３７】
１０    監視カメラ
１１    分配器
１２    カメラ映像録画装置
１３    プリンタ
１４    ネットワーク
２０    動体認識装置
２１、４３、８１    制御部
２２、４４、８２    記憶部
２３、４６、８３    通信部
３１    移動体検知部
３２    人判別部
３３    不正容疑者判別部
３４    判別情報作成部
３５    判別情報削除部
３６    判別情報送信部
４０    システムサーバ
４１    表示部
４２    操作部
４５    外部記録媒体処理部
５１    監視カメラマッピングデータ
５２    通報データ用データベース
５３    アラート動作設定情報
５４    車両データ用データベース
６０    不正容疑者情報取得部
６１    通報データ登録部
６２    警告音鳴動処理部
６３    表示処理部
６４    不正容疑者情報送信部
６５    印刷出力処理部
６６    外部記録媒体出力処理部
６７    アラート処理制御部
６８    不正容疑者判別部
６９    車両データ登録部
７１    ホールコンピュータ
７２    島ユニット
７３    台間ユニット
７４    遊技台
７５    インカム装置
７６    店内監視カメラ
８０    車番認識装置
９１    移動体検知部
９２    車両判別部
９３    車番認識部
９４    入出庫判別部
９５    車両情報作成部
９６    車両情報削除部
９７    車両情報送信部
【図１】
2008253553.tif 000003
【図２】
2008253553.tif 000004
【図３】
2008253553.tif 000005
【図４】
2008253553.tif 000006
【図５】
2008253553.tif 000007
【図６】
2008253553.tif 000008
【図７】
2008253553.tif 000009
【図８】
2008253553.tif 000010
【図９】
2008253553.tif 000011
【図１０】
2008253553.tif 000012
【図１１】
2008253553.tif 000013
【図１２】
2008253553.tif 000014
【図１３】
2008253553.tif 000015
【図１４】
2008253553.tif 000016
【図１５】
2008253553.tif 000017
【図１６】
2008253553.tif 000018
【図１７】
2008253553.tif 000019
【図１８】
2008253553.tif 000020
【図１９】
2008253553.tif 000021
【図２０】
2008253553.tif 000022
【図２１】
2008253553.tif 000023